(57)【要約】【課題】食品廃棄物のリサイクルを可能ならしめる食品廃棄物処理装置を提供すること。【解決手段】投入された食品廃棄物を粉砕・液化して液状食品廃棄物を生成するディスポーザ１２と、前記ディスポーザ１２から排出された前記液状食品廃棄物を蓄える貯留槽２０と、内部が遠赤外線で所定温度に加熱された遠赤外線分解槽３０と、前記遠赤外線分解槽３０の内部を略真空状態にする真空ポンプ４０と、前記貯留槽２０と前記遠赤外線分解槽３０との間に介装され、開弁時、前記液状食品廃棄物の前記遠赤外線分解槽内部への吸引を可能ならしめる制御弁４４とを備え、前記液状食品廃棄物は分解して炭化物とされるようにした、食品廃棄物処理装置を構成したこと。【選択図】　図１
2004050058.tif 000002
【特許請求の範囲】
【請求項１】
投入された食品廃棄物を粉砕・液化して液状食品廃棄物を生成するディスポーザと、前記ディスポーザで生成された前記液状食品廃棄物を蓄える貯留槽と、内部が遠赤外線で所定温度に加熱された遠赤外線分解槽と、前記遠赤外線分解槽の内部を略真空状態にする真空ポンプと、前記貯留槽と前記遠赤外線分解槽との間に介装され、開弁時、前記液状食品廃棄物の前記遠赤外線分解槽内部への吸引を可能ならしめる制御弁とを備え、前記液状食品廃棄物は分解して炭素化とされるようにした、食品廃棄物処理装置。
【請求項２】
前記真空ポンプの吐出側にタンクを設け、前記分解の際に発生するガスが前記真空ポンプによる吸引・排出の後に前記タンク内に設けた通路を通過する際に前記ガス中の水分が凝縮するようにし、この凝縮の結果生成された水が遠赤外線セラミックスその他の物質を内包した活水器を通過させて前記水の活性化及び前記水に溶解・混入した前記ガスの臭気成分の分解を図り、前記活性化された水を前記タンクに貯留するようにした、請求項１に記載の食品廃棄物処理装置。
【請求項３】
前記活性水を前記ディスポーザに適時ポンプを用いて供給するようにした、請求項１に記載の食品廃棄物処理装置。
【請求項４】
前記ディスポーザと前記貯留槽との間に、スクリュウポンプを配設してなる、請求項１に記載の食品廃棄物処理装置。
【発明の詳細な説明】
【０００１】
【発明の属する技術分野】
本発明は、食品廃棄物処理装置に関する。
【０００２】
【従来の技術】
食品廃棄物を処理する装置の典型例としては、ディスポーザがあり、ディスポーザに投入された食品廃棄物は粉砕・液化され、容易に廃棄される態様となる。
【０００３】
【発明が解決しようとする課題】
ところが、ディスポーザで粉砕・液化された食品廃棄物は、地方によっては条例で、下水道への放流が禁止されている場合もあり、ユーザが採用を躊躇していた。また、仮令、ディスポーザの使用が許可されていても、食品廃棄物を、利用することなく、放流してしまうので、リサイクルの観点から、再考が要請されている。
【０００４】
それ故に、本発明は、かような不具合のない食品廃棄物処理装置を提供することを技術的課題とする。
【０００５】
【課題を解決するための手段】
上記した課題を解決するために講じた手段は、請求項１記載のように、「投入された食品廃棄物を粉砕・液化して液状食品廃棄物を生成するディスポーザと、前記ディスポーザから排出された前記液状食品廃棄物を蓄える貯留槽と、内部が遠赤外線で所定温度に加熱された遠赤外線分解槽と、前記遠赤外線分解槽の内部を略真空状態にする真空ポンプと、前記貯留槽と前記遠赤外線分解槽との間に介装され、開弁時、前記液状食品廃棄物の前記遠赤外線分解槽内部への吸引を可能ならしめる制御弁とを備え、前記液状食品廃棄物は分解して無機質化されるようにした、食品廃棄物処理装置。」を構成したことである。
【０００６】
尚、請求項１に記載の食品廃棄物処理装置においては、前記真空ポンプの吐出側にタンクを設け、前記分解の際に発生するガスが前記真空ポンプによる吸引・排出の後に前記タンク内に設けた通路を通過する際に前記ガス中の水分が凝縮するようにし、この凝縮の結果生成された水が遠赤外線セラミックスその他の物質を内包した活水器を通過させて前記水の活性化及び前記水に溶解・混入した前記ガスの臭気成分の分解を図り、前記活性化された水を前記タンクに貯留するようにしたり（請求項２）、前記活性水を前記ディスポーザに適時ポンプを用いて供給するようにしたり（請求項３）、前記ディスポーザと前記貯留槽との間に、スクリュウポンプを配設したりするのが望ましい（請求項４）。
【０００７】
【発明の実施の形態】
以下、本発明にかかる食品廃棄物処理装置の実施の形態を、具体的に説明する。
【０００８】
図１において、食品廃棄物処理装置１０は、ディスポーザ１２を備える。ディスポーザ１２は、周知の内部機構を備えており、蓋１２ｘにより開閉される投入口１２ａから投入された食品廃棄物を粉砕・液化するようになっている。液化された食品廃棄物（以下、流動廃棄物Ｌと略称する）。ディスポーザ１２の排出口１２ｂは、スクリュウポンプ１４が介装された配管１６を介して貯留槽２０に連結されており、ディスポーザ１２の排出口１２ｂから排出された流動廃棄物Ｌは、スクリュウポンプ１４の作用により、配管１６内を攪拌されながら、貯留槽２０側に移送され、流動廃棄物Ｌが貯留槽２０内に貯留されるようになっている。
【０００９】
スクリュウポンプ１４の作動はディスポーザ１２の作動と連動するように、図示されない制御装置により制御されるが、ディスポーザ１２が作動していないときでも、スクリュウポンプ１４が定期的に作動して、貯留槽２０内の流動廃棄物Ｌを、貯留槽２０、配管１８及び配管１６から形成される閉回路内を循環させて、流動廃棄物Ｌの貯留槽２０内での停滞に伴う腐敗を防止している。流動廃棄物Ｌは、スクリュウポンプ１４を通過することにより、更に微小化される。
【００１０】
貯留槽２０には、遠赤外線分解槽３０が隣接配置される。貯留槽２０の下側部分に一端部が連結された配管２２の他端部は、遠赤外線分解槽３０の左壁３０ａの上側を貫通して内部に延在し、右壁３０ｂと対向する。左壁３０ａ及び右壁３０ｂを含む遠赤外線分解槽３０の外郭は断熱構造体として形成される。右壁３０ｂには、斜板３０ｃ及び平板３０ｄが、遠赤外線分解槽３０の内部で三角形を形成するように固定されている。しかして、左壁３０ａ及び右壁３０ｂを含む遠赤外線分解槽３０の外郭、斜板３０ｃ及び平板３０ｄは、遠赤外線セラミックスで形成されており、斜板３０ｃの裏面及び平板３０ｄの上面には、ヒータ３４が接合されている。ヒータ３４への通電により、遠赤外線分解槽３０の内部、特に壁面の表面温度は、摂氏１５０度〜２００度に保温されている。この保温は、図示されない温度センサから受けた信号に依拠して、制御装置がヒータ３４への通電量を調整することによりなされる。
【００１１】
遠赤外線分解槽３０の内部には、真空ポンプ４０の吸入口４０ａが延在している。真空ポンプ４０が作動して、遠赤外線分解槽３０の内部は、−４００〜７００ｍｍＨｇ程度まで減圧されるようになっている。
【００１２】
貯留槽２０と遠赤外線分解槽３０とを連結する配管２２には、制御弁４２が介装されており、制御弁４２が開かれると、流動廃棄物Ｌが、真空状態にある遠赤外線分解槽３０内に強制的に吸引される。しかして、遠赤外線分解槽３０内に強制的に吸引された流動廃棄物Ｌは、遠赤外線セラミックスの壁面に衝突して微小な塊に粉砕されると同時に、一部は上記した高温のため蒸発する。微小な塊に粉砕された食品廃棄物は、飛び散って遠赤外線セラミックスの壁面に付着するが、遠赤外線セラミックスから放射される遠赤外線により、食品廃棄物を構成する細胞の細胞水が振動する。この振動により、細胞が発熱・蒸発することにより分解せられ、食品廃棄物は、炭素化された炭素化物Ｃとなり、壁面及び斜板を伝って底壁上に落下・堆積する。底壁も遠赤外線セラミックス製なので、堆積された炭素化物Ｃは、更に、水分の蒸発と炭化が促進されることになる。かように生成された炭素化物Ｃは、例えばカーボンブラックの原材料として、再利用される。
【００１３】
上記した分解過程においては、水蒸気やガスが不可避的に生成されるが、これら水蒸気やガスは、真空ポンプ４０により吸引・排出される。真空ポンプ４０の吐出口４０ｂは、遠赤外線分解槽３０の外部（大気中）に位置する配管５０に連結されている。しかして、水蒸気やガスは、高温の遠赤外線分解槽３０の内部から常温の配管５０内に移送されるので、この温度変化に伴い、凝縮が起こり、ガスを含んだ水Ｗ１が生成される。このガスを含んだ水Ｗ１は、遠赤外線セラミックス粒子５４が装填された活水器５６を通過した後、活性水Ｗ２として、タンク６０内に貯留される。尚、水Ｗ１が活水器５６を通過する際に、水Ｗ１に含有されるガスの臭気成分は遠赤外線セラミックス粒子５４により吸着分解されて、無害・無臭の気体となり、活性水Ｗ２の上部空間から外部に排出される。
【００１４】
配管５０は、真空ポンプ４０から活水器５６に至る間、タンク６０内と通過し、活性水Ｗ２と熱交換するようになっている。これにより、上記した凝縮の進行を早めるようになっている。また、タンク６０の下側からは、給水ポンプ６２が介装された配管６４の先端部が、ディスポーザ１２の投入口１２ａに臨んでいる。給水ポンプ６２が作動されると、タンク６０内の活性水Ｗ２がディスポーザ１２内部に加圧噴射されて清浄行うと共に、活性水Ｗ２の脱臭効果により、ディスポーザ１２側からの漏臭を防止することが出来る。
【００１５】
【発明の効果】
本発明によれば、食品廃棄物を大幅に減量化できるのみならず、炭化物として再生できるという、実用上、多大な効果を奏する。
【図面の簡単な説明】
【図１】本発明に係る食品廃棄物処理装置の一例の説明図
【符号の説明】
１２　ディスポーザ
２０　貯留槽
２２　便蓋
３０　遠赤外線分解槽
４０　真空ポンプ
４４　制御弁
【図１】
2004050058.tif 000003